(57)【要約】【課題】  木造建築物の強度を強化し、又、建築工期を短縮することで安価になり、地震に強く、更には、震災や不同沈下、盤ぶくれ等で家が傾いた場合にも容易に改修をすることができるようにすることにある。【解決手段】  木造建家の継手や火打梁を、木材より強度な金具を使用し大量生産できることで、工期を短縮し安価な建築費及び、強度な継手や火打梁によって震災等による崩壊を防ぐことができる。又、継手金具部分の外側に輪状部分を備え、ロープを通したり、ジャッキアップを可能とし、ナットを緩めて基礎部分から外し建家の上下左右の移動が容易になれば、震災や不同沈下、盤ぶくれ等で家が傾いたとき容易な水平改修が可能となることを特徴とする。【選択図】  図８
0003111739.tif 000002
【実用新案登録請求の範囲】
【請求項１】
木造建家の継手部分に金具を使用することにより、建築物の強度を強化できることを特徴とする木造建築軸組継手金具。
【請求項２】
木造建家の継手部分に、組み合わせのできる金具を使用し、太さ、大きさの調節を可能にしながら、建築物の強度を強化できることを特徴とする請求項１記載の木造建築軸組継手金具。
【請求項３】
継手部分の外側金具に輪状部分を備え、ロープを通したり、ジャッキアップが可能とし、基礎部分から外して建家の移動が容易になることを特徴とする請求項２記載の木造建築軸組継手金具。
【請求項４】
継手部分の金具に長めのボルトをつけ、ボルトの位置を上下させ高さを調整できることで、建物の水平改修が容易になることを特徴とする請求項３記載の木造建築軸組継手金具。
【請求項５】
従来の木の筋交部分にワイヤーを使用することにより、ワイヤーを締め付けてブレイスの役目を果たすことが可能となることを特徴とし、継手金具内側にワイヤーを通す輪状部分を備え、更に全方位輪状金具を備えて弾性なワイヤーを接続する請求項４記載の木造建築軸組継手金具。
【請求項６】
基礎の土台の部分を木材を使用せずＨ鋼を使用し、継手部分の外側に輪状部分を備え、ロープを通したり、ジャッキアップが可能とし、基礎部分から外して建家の移動が容易になることを特徴とする請求項５記載の木造建築軸組継手金具及びＨ鋼土台。
【請求項７】
基礎の土台の部分を木材を使用せずＨ鋼を使用し、長めのボルトをつけボルトの位置を上下させ高さを調整できることで、傾いた建物の水平改修が容易になることを特徴とする請求項６記載の木造建築軸組継手金具及びＨ鋼土台。
【請求項８】
金物で作った火打梁りを併用した、請求項１〜請求項７記載の木造建築軸組継手金具及びＨ鋼土台。
【請求項９】
要所に、斜め４５度の角度でボルトや鉄棒を設置することが可能となる、請求項１〜請求８記載の継手部分の金具。
【考案の詳細な説明】
【技術分野】
【０００１】  本考案は、工期を短く、安価で、構造材の３．５寸〜６寸までの対応が可能な建築で、地震に強く、水平改修容易な木造建築に関する。
【背景技術】
【０００２】  従来、木造建築は、追っかけ大栓継、腰掛鎌継、腰掛蟻継等々複雑な切込みを入れたり、筋交、火打梁等多彩な技術を必要とするため工期が長く、高価になり、地震に弱く、更に震災や不同沈下、盤ぶくれ等で家が傾くと改修が困難となってしまう。【０００３】  しかし、木造建家の継手や火打梁を、木材より強度な金具を使用し大量生産できることで、工期を短縮し安価な建築費及び、強度な金具の継手や火打梁によって震災等による崩壊を防ぐことができる。図１は、金具の継手の一例を示したものである。【０００４】  更に木造建築は、震災や不同沈下、盤ぶくれ等で家が傾くと改修が困難になり、莫大な改修費用がかかってしまう。継手金具部分の外側に輪状部分を備え、ロープを通したり、ジャッキアップを可能とし、ナットを緩めて基礎部分から外し建家の上下左右の移動ができれば、容易な水平改修が可能となる。図２は、外側金具に輪状部分を備えた金具の継手の一例を示したものである。【０００５】  簡単な上下のみの水平改修であれば、図３のようにボルトを長くして、ボルトとナットの組み合わせで調整が可能となり、安い費用で容易に改修できるようになる。【０００６】  従来の木の筋交部分にワイヤーを使用することにより、ワイヤーを締めつけてブレイスの役目を果たすことが可能となる。図４と図５は、ワイヤーを通すための継手金具部分内側に輪状の部分を備えた一例を示したものである。【０００７】  しかし、木材部分につけた金具の継手や火打梁も、その木材部分の老朽化が進めば役割を果たすことが困難となる。そこで、図６と図７のように、基礎の土台の部分を木材を使用せず、耐久性のあるＨ鋼を使用し、更に、継手金具部分の外側に輪状部分を備えれば、ロープを通したり、ジャッキアップが可能となり、又、ナットを緩めて基礎部分から外し建家の上下左右の移動が容易になれば、震災や不同沈下、盤ぶくれ等で家が傾いた場合でも容易に改修が可能となる。更にボルトを長くすれば、ボルトとナットの組み合わせのみで調整が可能となり、安い費用で容易に水平改修できるようになる。
【考案の開示】
【考案が開発しようとする課題】
【０００８】  上述の如く、木造建築の従来技術に係る継手及び土台は、追っかけ大栓継、腰掛鎌継、腰掛蟻継等々複雑な切込みを入れたり、筋交、火打梁等多彩な技術を必要とする。
【０００９】  このため、木造建築は工期が長く高価になり、地震に弱く、更に震災や不同沈下、盤ぶくれ等で家が傾くと改修が困難となっているのが現状である。
【００１０】  本考案は、このような点を鑑みて成されたものであり、その目的は、木造建築物の強度を強化し、且つ又、建築工期が短く安価になり、地震に強く、更には、震災や不同沈下、盤ぶくれ等で家が傾いた場合にも容易に改修をすることができるようにすることにある。
【００１１】  上記の目的を達成する木造建築軸組継手金具や金物火打梁及びＨ鋼土台は、継手や火打梁を木材より強度な金具を使用し、継手金具部分の内側や外側に輪状部分を備えたり、継手部分の金具に長めのボルトをつけたり、従来の木の筋交部分にワイヤーを使用したり、基礎の土台の部分を木材を使用せずＨ鋼を使用したことを特徴とする。
【００１２】  一例として、前記の木造建家の継手や火打梁を、木材より強度な金具を使用し大量生産できることで、工期を短縮し安価な建築費が期待できる。
【００１３】  以上説明したように本考案によれば、木造建築の継手や火打梁を、木材より強度な金具を使用し、継手金具部分の内側や外側に輪状部分を備えたり、継手部分の金具に長めのボルトをつけたり、従来の木の筋交部分にワイヤーと全方位輪状金具を使用したり、基礎と土台の部分を木材を使用せずＨ鋼を用いたりすることで、建築工期が短く安価になり、耐震力を強め、更には、震災や不同沈下、盤ぶくれ等で家が傾いた場合には改修を容易にすること等に極めて有効である。
【考案を実施するための最良の形態】
【００１４】  以下、本考案の実態の形態を図面に基づき説明する。【００１５】  図１〜図８は本考案の第１の実施の形態に係り、図１、図２、図４、図５はその外観斜視図、図３は基礎部分、図６と図７はＨ鋼、図８は基礎から天井までの断面図である。【００１６】  図１に示すように、木造建具の継手を、木材より強度な金具を使用し大量生産できることで工期を短縮し、安価な建築費及び、強度な継手によって震災等による崩壊を防ぐことができる。【００１７】  図２は、継手金具部分の外側に輪状部分を備え、ロープを通したり、ジャッキアップが可能とし、基礎部分から外して建家の移動が容易となる。【００１８】  継手金具に長めのボルトをつけ、ボルトの位置を上下させ高さを調節できることで、傾いた建物の水平改修が容易となり、更に図３は、筋交部分にワイヤーを使用することにより、ワイヤーを締めつけてブレイスの役目を果たすことが可能となる。図４は継手金具部分内側に輪状部分を設けて、ワイヤーを通すことができる。【００１９】  図５は、ワイヤーを通した継手部分と、４方からボルトで直結する全方位輪状金具の一例である。【００２０】  図６と図７に示すとおり、建築物の強度を強化するために、基礎の土台の部分を木材を使用せずＨ鋼を使用し、長めのボルトをつけ、更に、ボルトの位置を上下させ高さを調節できることで、傾いた建物の水平改修が容易になる。【００２１】  図８は、木造建築物の基礎から天井までの、継手金具やワイヤーの使用例である。従来、木造建築は、追っかけ大栓継、腰掛鎌継、腰掛蟻継等々複雑な切込みを入れたり、筋交、火打梁等多彩な技術を必要とするため工期が長く、高価になり、地震に弱く、更に震災や不同沈下、盤ぶくれ等で家が傾くと容易な改修が困難となっていた。それらを解決できるのが本考案である。
【産業上の利用可能性】
【００２２】  本考案は、建築販売するハウスメーカーの産業分野で利用することができる。
【図面の簡単な説明】
【００２３】
【図１】  本考案の金具の継手の外観斜視図である。
【図２】  継手金具外側の輪状部分を備えた金具継手の外観斜視図である。
【図３】  従来の筋交部分に全方位輪状金具を使用してワイヤーを取り付け、長いボルトと輪状部分を備えた基部分礎の断面図である。
【図４】  継手金具内側の輪状部分を備えた金具継手の外観斜視図である。
【図５】  継手金具内側の輪状部分と、全方位輪状金具をワイヤーつなぐ外観斜視図である。
【図６】  Ｈ鋼と長めのボルトを装着した土台部分の断面図である。
【図７】  Ｈ鋼と長めのボルトを装着した土台部分の外観斜視図である。
【図８】  本考案を利用した基礎から天井までの断面図である。
【符号の説明】
【００２４】１    組み合わせのできる金具の継手
２    柱
３    継手金具外側の輪状部分
４    長めのボルト
５    ワイヤー
６    全方位輪状金具
７    スペイサー
８    継手金具内側の輪状部分
９    ボルト
１０  Ｈ鋼
１１  埋込
１２  コンクリート基礎
１３  ナット
【図１】
0003111739.tif 000003
【図２】
0003111739.tif 000004
【図３】
0003111739.tif 000005
【図４】
0003111739.tif 000006
【図５】
0003111739.tif 000007
【図６】
0003111739.tif 000008
【図７】
0003111739.tif 000009
【図８】
0003111739.tif 000010
【手続補正書】
【提出日】平成17年4月7日(2005.4.7)
【手続補正１】
【補正対象書類名】実用新案登録請求の範囲
【補正対象項目名】全文
【補正方法】変更
【補正の内容】
【実用新案登録請求の範囲】
【請求項１】
木造建築の柱と柱、柱と土台等の接合部分は、本来、材木に切込みを入れて接合していたが、接合部分に切込みを入れず、木造よりも強度なビス穴を設けた金具を接合部分に附帯し、建築物の強度を強化できることを特徴とする木造建築軸組継手金具。